(57)【要約】【課題】  インクジェット用インクとして要求される耐環境ガス性、画像濃度、及び固着回復性が共に優れ、且つ、得られるカラー画像の耐候性に優れたインクジェット用インクセットを提供すること。【解決手段】  複数のインクジェット用インクで構成されるインクジェット用インクセットであって、  特定の色材を含有するインクジェット用シアンインク、特定の色材を含有するインクジェット用マゼンタインク、特定の色材を含有するインクジェット用イエローインク、を含むことを特徴とするインクジェット用インクセット。【選択図】  なし【特許請求の範囲】
【請求項１】
複数のインクジェット用インクで構成されるインクジェット用インクセットであって、
少なくとも色材として、下記式（１）で表される化合物又はその塩を含有するインクジェット用シアンインク、
少なくとも色材として、下記式（２）で表される化合物又はその塩を含有するインクジェット用マゼンタインク、
少なくとも色材として、下記式（３）で表される化合物又はその塩、及びＣ．Ｉ．ダイレクトイエロー１３２を含有するインクジェット用イエローインク、
を含むことを特徴とするインクジェット用インクセット。
式（１）
【化１】
2006199922.tif 000043
（式（１）中、Ｍはアルカリ金属又はアンモニウムであり、Ｒ１、Ｒ２はそれぞれ独立に水素原子、スルホン酸基、カルボキシル基（但し、Ｒ１、Ｒ２が同時に水素原子となる場合を除く）であり、Ｙは塩素原子、ヒドロキシル基、アミノ基、モノ又はジアルキルアミノ基であり、ｌ、ｍ、ｎはそれぞれｌ＝０〜２、ｍ＝１〜３、ｎ＝１〜３（但し、ｌ＋ｍ＋ｎ＝３〜４）であり、置換基の置換位置は４位若しくは４’位である。）
式（２）
【化２】
2006199922.tif 000044
（式（２）中、Ｒ１は水素原子、アルキル基、ヒドロキシ低級アルキル基、シクロヘキシル基、モノ又はジアルキルアミノアルキル基、又はシアノ低級アルキル基であり、Ｒ２、Ｒ３、Ｒ４、Ｒ５及びＲ６はそれぞれ独立に水素原子、炭素数１〜８のアルキル基、又はカルボキシル基（但し、Ｒ２、Ｒ３、Ｒ４、Ｒ５及びＲ６のすべてが水素原子である場合を除く）である。）
式（３）
【化３】
2006199922.tif 000045
（式（３）中、Ｍはそれぞれ独立に水素原子、アルカリ金属、アルカリ土類金属、有機アミンのカチオン又はアンモニウムイオンであり、ｎはそれぞれ独立に１又は２である。）
【請求項２】
更に、少なくとも色材としてカーボンブラックを含有するインクジェット用顔料ブラックインクを含む請求項１に記載のインクジェット用インクセット。
【請求項３】
更に、少なくとも色材として、下記式（４）で表される化合物又はその塩、下記式（５）で表される化合物またはその塩、及び、下記式（６）で表される化合物と下記式（７）で表される化合物との縮合染料又はその塩、並びに、前記縮合染料又はその塩の還元によって得られる染料（縮合後又は還元後の染料の対イオンは、水素イオン、アルカリ金属イオン、有機アミンのカチオン、アンモニウムイオンである）からなる群から選ばれる少なくとも１種を含有するインクジェット用ブラックインクを含む請求項１又は２に記載のインクジェット用インクセット。
式（４）
【化４】
2006199922.tif 000046
（式（４）中、Ｒ１、Ｒ２、Ｒ３、Ｒ４はそれぞれ独立に水素原子、ヒドロキシル基、アミノ基、カルボキシル基、スルホン酸基、炭素数１〜４のアルキル基、炭素数１〜４のアルコキシ基、ヒドロキシル基、炭素数１〜４のアルコキシ基、スルホン酸基若しくはカルボキシル基で置換されているアルコキシ基、カルボキシル基又はスルホン酸基で更に置換されてもよい炭素数１〜４のアルコキシ基、フェニル基、アルキル基、又はアシル基によって置換されているアミノ基であり、ｎは０又は１である。）
式（５）
【化５】
2006199922.tif 000047
（式（５）中、Ｒ１、Ｒ２はそれぞれ独立に水素原子、ヒドロキシル基、アミノ基、カルボキシル基、スルホン酸基、炭素数１〜４のアルキル基、炭素数１〜４のアルコキシ基であり、Ｒ３、Ｒ４はそれぞれ独立に水素原子、炭素数１〜４のアルキル基、炭素数１〜４のアルコキシ基、ヒドロキシル基、ヒドロキシル基若しくは炭素数１〜４のアルコキシ基で置換されても良い炭素数１〜４のアルキル基、ヒドロキシル基、炭素数１〜４のアルコキシ基、スルホン酸基若しくはカルボキシル基で置換されてもよい炭素数１〜４のアルコキシ基、アルキル基若しくはアシル基によって置換されているアミノ基であり、ｎは０又は１である。）
式（６）
【化６】
2006199922.tif 000048
（式（６）中、Ｍは水素原子又はアルカリ金属である。）
式（７）
【化７】
2006199922.tif 000049
（式（７）中、Ｒ１、Ｒ２、Ｒ３、Ｒ４、Ｒ５はそれぞれ独立に水素原子、ハロゲン原子、ヒドロキシル基、スルホン酸基、カルボキシル基、炭素数１〜４のアルキル基、炭素数１〜４のアルコキシ基である。）
【請求項４】
前記インクジェット用マゼンタインク、及び前記インクジェット用シアンインクが、それぞれ色材の含有量が異なる２種類のインクを含む請求項１〜３の何れか１項に記載のインクジェット用インクセット。
【請求項５】
更に、少なくとも色材としてＣ．Ｉ．フードイエロー３を含有するインクジェット用レッドインクを含む請求項１〜４の何れか１項に記載のインクジェット用インクセット。
【請求項６】
更に、少なくとも色材として、下記式（８）で表される化合物又はその塩、及び、下記式（９）で表される化合物又はその塩、を含有するインクジェット用グリーンインクを含む請求項１〜５の何れか１項に記載のインクジェット用インクセット。
式（８）
【化８】
2006199922.tif 000050
（式（８）中、Ｒ１、Ｒ２はそれぞれ独立に、置換若しくは未置換の、アルキル基、アリール基、アリールアルキル基、又は水素原子の何れかであり、Ｒ３、Ｒ５はそれぞれ独立に、カルボキシル基又はその塩、スルホン酸基又はその塩、リン酸基又はその塩、及びこれらの基で置換されたアルキル基であり、Ｒ４、Ｒ６はそれぞれ独立に、Ｒ３、Ｒ５に対して定義した以外の基であり、ｐ、ｒはそれぞれ独立に１〜５の整数であり、ｑ、ｓはそれぞれ独立に０〜４の整数であり、且つ、ｐ＋ｑ≦５、ｒ＋ｓ≦５である。）
式（９）
【化９】
2006199922.tif 000051
（式（９）中、Ｍはアルカリ金属（例えば、Ｌｉ、Ｎａ、Ｋ、Ｒｂ、Ｃｓ、Ｆｒ等）又はアンモニウムであり、Ｒ１はＯＨ、ＣＯＯＭ、Ｒ２ＣＯＯＭ（Ｒ２は炭素数４〜９のアルキル基、Ｍはアルカリ金属又はアンモニウム）であり、ｘ、ｙ、ｚはそれぞれ独立に０〜４の整数である。）
【請求項７】
インクをインクジェット方法で吐出する工程を有するインクジェット記録方法において、前記インクが、請求項１〜６の何れか１項に記載のインクジェット用インクセットを構成するインクであることを特徴とするインクジェット記録方法。
【請求項８】
インクに熱エネルギーを作用させてインクを吐出する請求項７に記載のインクジェット記録方法。
【請求項９】
インクを収容するインク収容部を備えたインクカートリッジにおいて、前記インクが、請求項１〜６の何れか１項に記載のインクジェット用インクセットを構成するインクであることを特徴とするインクカートリッジ。
【請求項１０】
インクを収容するインク収容部と、インクを吐出するための記録ヘッドとを備えた記録ユニットにおいて、前記インクが、請求項１〜６の何れか１項に記載のインクジェット用インクセットを構成するインクであることを特徴とする記録ユニット。
【請求項１１】
インクを収容するインク収容部と、インクを吐出するための記録ヘッドとを備えたインクジェット記録装置において、前記インクが、請求項１〜６の何れか１項に記載のインクジェット用インクセットを構成するインクであることを特徴とするインクジェット記録装置。
【発明の詳細な説明】
【技術分野】
【０００１】
本発明は、インクジェット用インクセットとして、耐環境ガス性、画像濃度、固着回復性が共に優れるインクセット、前記インクジェット用インクセットを用いたインクジェット記録方法、インクカートリッジ、記録ユニット及びインクジェット記録装置に関する。
【背景技術】
【０００２】
インクジェット記録方法は、インク小滴を普通紙、及び、光沢メディア等の記録媒体上に付与して、画像を形成する記録方法であり、その低価格化、記録速度の向上により、急速に普及が進んでいる。又、その記録物の高画質化が進んだことに加えて、デジタルカメラの急速な普及に伴い、銀塩写真に匹敵する写真画像の出力方法として広く一般的になっている。
【０００３】
近年、インク滴の極小液滴化や、多色インクの導入に伴う色域の向上等により、今まで以上に高画質化が進んでいる。しかしその反面、色材やインクに対する要求はより大きくなり、発色性の向上や、固着回復性（長期間インクを使用せず、インクが記録ヘッドで固まった場合に吸引等の回復動作で回復する性能）、連続吐出性等の信頼性においてより厳しい特性が要求されている。
【０００４】
一方で、銀塩写真と比較した場合のインクジェット記録方式の問題点には、得られた記録物の耐候性が挙げられる。一般に、インクジェット記録方式により得られた記録物は銀塩写真と比較して、その耐候性が低く、記録物が光、湿度、熱、空気中に存在する環境ガス等に長時間さらされた際に、記録物上の色材が劣化し、画像の色調変化や褪色が発生しやすいといった問題があった。
【０００５】
インクジェット記録方式により得られる記録物において問題となる耐候性の中でも、耐光性に関しては、これまでに数多くの技術開発が行われている。インクジェット記録方式で多用されるシアンインク、マゼンタインク、イエローインクの中でも、特に耐光性が低いイエローインクやマゼンタインクについては、記録物の耐光性を向上させるための色材に関する提案が数多くある。例えば、イエローインクについては、Ｃ．Ｉ．ダイレクトイエロー８６や、Ｃ．Ｉ．ダイレクトイエロー１７３を色材として用いることに関する提案がある（例えば、特許文献１及び２参照）。又、マゼンタインクについては、新規モノアゾ染料や新規アントラピリドン染料を色材として用いることに関する提案がある（例えば、特許文献３及び４参照）。
【０００６】
又、耐候性の中でも、空気中に存在する微量のオゾン、ＮＯｘ、ＳＯ２などの環境ガスに対する耐候性、即ち耐環境ガス性は、前記した耐光性と同様に解決すべき問題である。耐環境ガス性は、最も環境ガスの影響を受けやすいシアンインクの色材に関する提案が数多くある。例えば、新規フタロシアニン染料を色材として用いることに関する開示がある（例えば、特許文献５及び６参照）。
【０００７】
更に、インクジェット記録方法に用いられる各色のインクにおけるカラーバランスを考慮したインクセットに関する提案がある。例えば、耐候性の中でも耐光性を向上するために、各色のインクに堅牢性が高い特徴を有する、特定の染料を用いることに関する提案がある（例えば、特許文献７〜１０参照）。又、耐候性の中でも耐環境ガス性、特に耐オゾン性を向上すること関する提案がある（例えば、特許文献１１及び１２参照）。
【特許文献１】特開平０４−２３３９７５号公報
【特許文献２】特開平０２−２３３７８１号公報
【特許文献３】特開平０５−０７３７９１号公報
【特許文献４】特開平１１−２０９６７３号公報
【特許文献５】特開２００２−２４９６７７号公報
【特許文献６】特開２０００−３０３００９号公報
【特許文献７】特開２００１−２８８３９２号公報
【特許文献８】特開２００２−３３８８５３号公報
【特許文献９】特開２００２−２９４１１１号公報
【特許文献１０】特開２００３−１３８１６９号公報
【特許文献１１】特開２００３−２３８８５０号公報
【特許文献１２】特開２００３−２８６４２３号公報
【発明の開示】
【発明が解決しようとする課題】
【０００８】
耐候性が高いインクを得ようとする場合、色材そのものの耐候性を高めていくアプローチがある。即ち、色材の構造を工夫することによって、光や環境ガスに強い色材を得る。そして、その色材を用いることで、耐候性に優れたインクが得られるわけである。
【０００９】
しかしながら、例えば、イエロー、マゼンタ、シアン、の原色のインクに用いられる色材それぞれについて、いたずらに耐候性が強い色材を得たとしても、得られたカラー画像の耐候性が必ずしも高い訳ではないことがわかってきた。つまり、インクセットを構成するそれぞれの色ごとに求められる耐候性があり、それらがバランス良く組み合わされることによって、インクセットとしてトータルで耐候性に優れた画像を得ることが可能になる。
【００１０】
従って、本発明の目的は、インクジェット用インクとして要求される耐環境ガス性、画像濃度、及び固着回復性が共に優れ、且つ、得られるカラー画像の耐候性に優れたインクジェット用インクセットを提供することにある。
【００１１】
又、本発明の別の目的は、前記インクジェット用インクセットを用いたインクジェット記録方法、インクカートリッジ、記録ユニット及びインクジェット記録装置を提供することにある。
【課題を解決するための手段】
【００１２】
上記の目的は、下記の本発明によって達成される。即ち、本発明にかかるインクジェット用インクセットは、複数のインクジェット用インクで構成されるインクジェット用インクセットであって、少なくとも色材として、下記式（１）で表される化合物又はその塩を含有するインクジェット用シアンインク、少なくとも色材として、下記式（２）で表される化合物又はその塩を含有するインクジェット用マゼンタインク、少なくとも色材として、下記式（３）で表される化合物又はその塩、及びＣ．Ｉ．ダイレクトイエロー１３２を含有するインクジェット用イエローインク、を含むことを特徴とする。
【００１３】
式（１）
【００１４】
【化１】
2006199922.tif 000002
【００１５】
（式（１）中、Ｍはアルカリ金属又はアンモニウムであり、Ｒ１、Ｒ２はそれぞれ独立に水素原子、スルホン酸基、カルボキシル基（但し、Ｒ１、Ｒ２が同時に水素原子となる場合を除く）であり、Ｙは塩素原子、ヒドロキシル基、アミノ基、モノ又はジアルキルアミノ基であり、ｌ、ｍ、ｎはそれぞれｌ＝０〜２、ｍ＝１〜３、ｎ＝１〜３（但し、ｌ＋ｍ＋ｎ＝３〜４）であり、置換基の置換位置は４位若しくは４’位である。）
式（２）
【００１６】
【化２】
2006199922.tif 000003
【００１７】
（式（２）中、Ｒ１は水素原子、アルキル基、ヒドロキシ低級アルキル基、シクロヘキシル基、モノ又はジアルキルアミノアルキル基、又はシアノ低級アルキル基であり、Ｒ２、Ｒ３、Ｒ４、Ｒ５及びＲ６はそれぞれ独立に水素原子、炭素数１〜８のアルキル基、又はカルボキシル基（但し、Ｒ２、Ｒ３、Ｒ４、Ｒ５及びＲ６のすべてが水素原子である場合を除く）である。）
式（３）
【００１８】
【化３】
2006199922.tif 000004
【００１９】
（式（３）中、Ｍはそれぞれ独立に水素原子、アルカリ金属、アルカリ土類金属、有機アミンのカチオン又はアンモニウムイオンであり、ｎはそれぞれ独立に１又は２である。）
本発明の別の実施態様にかかるインクジェット記録方法は、インクをインクジェット方法で吐出する工程を有するインクジェット記録方法において、前記インクが、上記構成のインクジェット用インクセットを構成するインクであることを特徴とする。
【００２０】
本発明の別の実施態様にかかるインクカートリッジは、インクを収容するインク収容部を備えたインクカートリッジにおいて、前記インクが、上記構成のインクジェット用インクセットを構成するインクであることを特徴とする。
【００２１】
本発明の別の実施態様にかかる記録ユニットは、インクを収容するインク収容部と、インクを吐出するための記録ヘッドとを備えた記録ユニットにおいて、前記インクが、上記構成のインクジェット用インクセットを構成するインクであることを特徴とする。
【００２２】
本発明の別の実施態様にかかるインクジェット記録装置は、インクを収容するインク収容部と、インクを吐出するための記録ヘッドとを備えたインクジェット記録装置において、前記インクが、上記構成のインクジェット用インクセットを構成するインクであることを特徴とするインクジェット記録装置。
【発明の効果】
【００２３】
本発明によれば、インクジェット用インクとして要求される耐環境ガス性、画像濃度、及び固着回復性が共に優れ、且つ、得られるカラー画像の耐候性に優れたインクジェット用インクセットを提供することができる。
【００２４】
又、本発明の別の実施態様によれば、前記インクジェット用インクセットを用いたインクジェット記録方法、インクカートリッジ、記録ユニット及びインクジェット記録装置を提供することができる。
【発明を実施するための最良の形態】
【００２５】
以下、好ましい実施の形態を挙げて本発明を更に詳細に説明する。尚、本発明においては、化合物が塩である場合は、インク中では塩はイオンに解離して存在しているが、便宜上、「塩を含有する」と表現する。
【００２６】
＜インク＞
以下、本発明にかかるインクジェット用インクセット（以下、単にインクセットと呼ぶこともある）を構成する各インク等について詳細に述べる。
【００２７】
（色材）
〔シアンインク用色材〕
シアンインクに用いられる色材は、少なくとも下記式（１）で表される化合物又はその塩を含有することが必須である。
【００２８】
式（１）
【００２９】
【化４】
2006199922.tif 000005
【００３０】
（式（１）中、Ｍはアルカリ金属又はアンモニウムであり、Ｒ１、Ｒ２はそれぞれ独立に水素原子、スルホン酸基、カルボキシル基（但し、Ｒ１、Ｒ２が同時に水素原子となる場合を除く）であり、Ｙは塩素原子、ヒドロキシル基、アミノ基、モノ又はジアルキルアミノ基であり、ｌ、ｍ、ｎはそれぞれｌ＝０〜２、ｍ＝１〜３、ｎ＝１〜３（但し、ｌ＋ｍ＋ｎ＝３〜４）であり、置換基の置換位置は４位若しくは４’位である。）
本発明において用いる色材は、式（１）における４位及び４’位のみに、無置換スルファモイル基（−ＳＯ２ＮＨ２）又は置換スルファモイル基（式（１０）で表される基）を選択的に導入したフタロシアニン誘導体である。本発明者らは、かかる化合物を含有するインクを用いて得られた記録物が、極めて耐環境ガス性に優れることを見出した。
【００３１】
式（１）で表される化合物又はその塩の合成には、４−スルホフタル酸誘導体、又は、４−スルホフタル酸誘導体及び（無水）フタル酸誘導体を、金属化合物の存在下で反応させることで得られるフタロシアニン化合物を原料に用いる。更に、前記フタロシアニン化合物におけるスルホン酸基をクロロスルホン酸基に変換した後、有機アミンの存在下でアミノ化剤を反応させて得られる。
【００３２】
式（１０）
【００３３】
【化５】
2006199922.tif 000006
【００３４】
式（１０）で表される置換スルファモイル基の好ましい具体例を以下に示す。勿論、本発明に用いられる置換スルファモイル基は、これに限られるものではない。尚、式（１０）で表される置換スルファモイル基は、遊離酸の形で示す。中でも、例示置換基Ｃ１が置換した化合物が、その発色性と耐環境ガス性のバランスから最も好ましい化合物である。
【００３５】
【化６】
2006199922.tif 000007
【００３６】
シアンインクにおける式（１）で表される化合物又はその塩の含有量（質量％）は、シアンインク全質量に対して０．１質量％以上１０．０質量％以下であることが好ましい。含有量が０．１質量％未満である場合、十分な画像濃度が得られないことがあり、含有量が１０．０質量％を超える場合、固着回復性が得られないことがある等、良好なインクジェット特性が得られなくなることがあるためである。
【００３７】
又、近年、高品位の記録物を得るために、同一の色調を有し、且つ、色材濃度が異なる複数のインクを組み合わせて用いて画像形成を行うことがある。具体的には、色材の含有量が相対的に多いインク（所謂濃インク）と、色材の含有量が相対的に少ないインク（所謂淡インク、フォトインク）とを組み合わせて用いて画像形成を行うことがある。この場合濃インクとして、高い画像濃度を達成するためには、式（１）で表される化合物又はその塩の含有量（質量％）が、インク全質量に対して３．０質量％以上であることが好ましく、より高い画像濃度を達成するためには、４．５％質量％以上であることが好ましい。又、フォト（淡）インクとして用いる場合には、式（１）で表される化合物又はその塩の含有量（質量％）が、インク全質量に対して０．５質量％〜３．０質量％であることが好ましく、更には、１．０質量％〜２．０質量％であることが好ましい。
【００３８】
〔マゼンタインク用色材〕
マゼンタインクに用いられる色材は、少なくとも下記式（２）で表される化合物又はその塩を含有することが必須である。
【００３９】
式（２）
【００４０】
【化７】
2006199922.tif 000008
【００４１】
（式（２）中、Ｒ１は水素原子、アルキル基、ヒドロキシ低級アルキル基、シクロヘキシル基、モノ又はジアルキルアミノアルキル基、又はシアノ低級アルキル基であり、Ｒ２、Ｒ３、Ｒ４、Ｒ５及びＲ６はそれぞれ独立に水素原子、炭素数１〜８のアルキル基、又はカルボキシル基（但し、Ｒ２、Ｒ３、Ｒ４、Ｒ５及びＲ６のすべてが水素原子である場合を除く）である。）
式（２）で表される化合物又はその塩の具体例を以下に示す。勿論、本発明に用いられる色材は、これに限られるものではない。中でも、例示化合物Ｍ６が、最も好ましい化合物である。
【００４２】
【化８】
2006199922.tif 000009
【００４３】
マゼンタインクにおける式（２）で表される化合物又はその塩の含有量（質量％）は、マゼンタインク全質量に対して０．１質量％以上１０．０質量％以下であることが好ましい。含有量が０．１質量％未満である場合、十分な画像濃度が得られないことがあり、含有量が１０．０質量％を超える場合、固着回復性が得られないことがある等、良好なインクジェット特性が得られなくなることがあるためである。特に、濃インクとして高い画像濃度を達成するためには、式（２）で表される化合物又はその塩の含有量（質量％）が、インク全質量に対して３．０質量％以上であることが好ましく、より高い画像濃度を達成するためには、４．５％質量％以上であることが好ましい。又、フォト（淡）インクとして用いる場合には、式（２）で表される化合物又はその塩の含有量（質量％）が、インク全質量に対して０．５質量％〜３．０質量％であることが好ましく、更には、１．０質量％〜２．０質量％であることが好ましい。
【００４４】
〔イエローインク用色材〕
イエローインクに用いられる色材は、少なくとも下記式（３）で表される化合物又はその塩を含有することが必須である。
【００４５】
式（３）
【００４６】
【化９】
2006199922.tif 000010
【００４７】
（式（３）中、Ｍはそれぞれ独立に水素原子、アルカリ金属、アルカリ土類金属、有機アミンのカチオン又はアンモニウムイオンであり、ｎはそれぞれ独立に１又は２である。）
前記式（３）において、Ｍはそれぞれ独立に、水素原子、アルカリ金属、アルカリ土類金属、有機アミンのカチオン又はアンモニウムイオンである。アルカリ金属の具体例は、例えば、ナトリウム、カリウム、リチウム等が挙げられる。アルカリ土類金属の具体例は、例えば、カルシウム、マグネシウム等が挙げられる。有機アミンの具体例は、例えば、メチルアミン、エチルアミン、モノエタノールアミン、ジエタノールアミン、トリエタノールアミン、モノイソプロパノールアミン、ジイソプロパノールアミン等が挙げられる。本発明においては、前記したＭの中でも、以下のものが好ましい。水素原子、ナトリウム、カリウム、リチウムなどのアルカリ金属、アンモニウムイオン、モノエタノールアミンイオン、ジエタノールアミンイオン、トリエタノールアミンイオン等のアルカノールアミンイオン等。
【００４８】
前記式（３）で表される化合物又はその塩の具体例は、下記表１の構造となる化合物が挙げられる。勿論、本発明はこれに限られるものではない。尚、表１においては、便宜上、下記式（１１）に示すようにＡ環、Ｂ環として、スルホン基の置換位置を示す。スルホン基の置換位置は下記式（１１）で定義した通りである。
【００４９】
【表１】
2006199922.tif 000011
【００５０】
式（１１）
【００５１】
【化１０】
2006199922.tif 000012
【００５２】
式（３）で表される化合物又はその塩の好ましい具体例は、下記例示化合物１が挙げられる。勿論、本発明はこれに限られるものではない。
【００５３】
例示化合物Ｙ１
【００５４】
【化１１】
2006199922.tif 000013
【００５５】
本発明においては、イエローインクの色材として、式（３）で表される化合物又はその塩とＣ．Ｉ．ダイレクトイエロー１３２を組み合わせて用いることが好ましい。発色性に優れたＣ．Ｉ．ダイレクトイエロー１３２を式（３）で表される化合物又はその塩と組み合わせて用いることで、色材の含有量を低減し、吐出安定性や記録ヘッド先端での目詰まり防止等のインクジェット用インクとして必要な信頼性を満足したインクを得ることが可能となる。又、この場合、イエローインクにおける式（３）で表される化合物又はその塩及びＣ．Ｉ．ダイレクトイエロー１３２の含有量の合計（質量％）は、イエローインク全質量に対して０．１質量％以上３．５質量％以下であることが好ましい。含有量が０．１質量％未満である場合、十分な画像濃度が得られないことがあり、含有量が３．５質量％を超える場合、固着回復性が得られないことがある等、良好なインクジェット特性が得られなくなることがあるためである。
【００５６】
式（３）の化合物又はその塩の含有量とＣ．Ｉ．ダイレクトイエロー１３２の含有量の比率は、イエローインクに含有される色材の含有量の合計に対して、式（３）の化合物又はその塩の含有量（質量％）が３０質量％以下であることが好ましく、更には、２０質量％以下であることが好ましい。このような比率とすることで、本発明のイエローインクを含むインクセットを用いて画像を形成する場合、環境ガスに対するイエロー、マゼンタ、シアンの褪色バランスが良好で、且つ、イエローインク単色での褪色も抑制されたインクを得ることができる。
【００５７】
〔ブラックインク用色材〕
ブラックインクに用いられる色材は、少なくとも下記式（４）で表される化合物又はその塩、下記式（５）で表される化合物又はその塩、及び、下記式（６）で表される化合物と下記式（７）で表される化合物との縮合染料又はその塩、並びに、前記縮合染料又はその塩の還元によって得られる染料（縮合後又は還元後の染料の対イオンは、水素イオン、アルカリ金属イオン、有機アミンのカチオン、アンモニウムイオンである）で表される染料からなる群から選ばれる少なくとも１種を含有する。
【００５８】
式（４）
【００５９】
【化１２】
2006199922.tif 000014
【００６０】
（式（４）中、Ｒ１、Ｒ２、Ｒ３、Ｒ４はそれぞれ独立に水素原子、ヒドロキシル基、アミノ基、カルボキシル基、スルホン酸基、炭素数１〜４のアルキル基、炭素数１〜４のアルコキシ基、ヒドロキシル基、炭素数１〜４のアルコキシ基、スルホン酸基若しくはカルボキシル基で置換されているアルコキシ基、カルボキシル基又はスルホン酸基で更に置換されてもよい炭素数１〜４のアルコキシ基、フェニル基、アルキル基、又はアシル基によって置換されているアミノ基であり、ｎは０又は１である。）
式（５）
【００６１】
【化１３】
2006199922.tif 000015
【００６２】
（式（５）中、Ｒ１、Ｒ２はそれぞれ独立に水素原子、ヒドロキシル基、アミノ基、カルボキシル基、スルホン酸基、炭素数１〜４のアルキル基、炭素数１〜４のアルコキシ基であり、Ｒ３、Ｒ４はそれぞれ独立に水素原子、炭素数１〜４のアルキル基、炭素数１〜４のアルコキシ基、ヒドロキシル基、ヒドロキシル基若しくは炭素数１〜４のアルコキシ基で置換されても良い炭素数１〜４のアルキル基、ヒドロキシル基、炭素数１〜４のアルコキシ基、スルホン酸基若しくはカルボキシル基で置換されてもよい炭素数１〜４のアルコキシ基、アルキル基若しくはアシル基によって置換されているアミノ基であり、ｎは０又は１である。）
式（６）
【００６３】
【化１４】
2006199922.tif 000016
【００６４】
（式（６）中、Ｍは水素原子又はアルカリ金属である。）
式（７）
【００６５】
【化１５】
2006199922.tif 000017
【００６６】
（式（７）中、Ｒ１、Ｒ２、Ｒ３、Ｒ４、Ｒ５はそれぞれ独立に水素原子、ハロゲン原子、ヒドロキシル基、スルホン酸基、カルボキシル基、炭素数１〜４のアルキル基、炭素数１〜４のアルコキシ基である。）
【００６７】
尚、式（４）及び式（５）において、ｎ＝０とは、下記例示化合物Ｂｋ１のように、ＳＯ３Ｈの位置がＨであることを示す。
【００６８】
式（４）で表される化合物又はその塩の好ましい具体例は、下記例示化合物Ｂｋ１が挙げられる。又、式（５）で表される化合物又はその塩の好ましい具体例は、下記例示化合物Ｂｋ２である。更に、式（６）で表される化合物と式（７）で表される化合物の縮合染料の好ましい具体例は、Ｃ．Ｉ．ダイレクトオレンジ３９である。勿論、本発明はこれに限られるものではない。
【００６９】
例示化合物Ｂｋ１
【００７０】
【化１６】
2006199922.tif 000018
【００７１】
例示化合物Ｂｋ２
【００７２】
【化１７】
2006199922.tif 000019
【００７３】
ブラックインクにおける色材の含有量（質量％）は、ブラックインク全質量に対して０．１質量％以上１０．０質量％以下であることが好ましい。含有量が０．１質量％未満である場合、十分な画像濃度が得られないことがあり、含有量が１０．０質量％を超える場合、固着回復性が得られないことがある等、良好なインクジェット特性が得られなくなることがあるためである。特に、高い画像濃度を達成するためには、色材の含有量（質量％）が、インク全質量に対して３．０％質量％以上１０．０質量％以下であることが好ましく、より高い画像濃度を達成するためには、４．５％質量％以上１０．０質量％以下であることが好ましい。
【００７４】
又、上記したような本発明の効果を十分に得るためには、ブラックインクにおける式（４）で表される化合物又はその塩の含有量（質量％）が、ブラックインク全質量に対して０．１質量％以上３．０質量％以下であることが好ましく、更には、０．５質量％以上であることが好ましい。又、式（４）で表される化合物又はその塩の含有量、及びその他の色材の含有量の合計、の比率が２：１以上１：１０以下であることが好ましい。
【００７５】
本発明においては、ブラックインクの色材として、式（４）で表される化合物又はその塩と、他の色材を組み合わせて用いると、高い画像濃度が得られ、Ｃ＊が小さく、黒らしい黒インクを得ることができるために好ましい。尚、Ｃ＊とは、彩度であり、鮮やかさの度合いを示す。このＣ＊が小さいほどニュートラルな色相を示す。この場合、式（４）で表される化合物又はその塩と組み合わせて用いる色材は、式（５）で表される化合物又はその塩、下記式（６）で表される化合物と下記式（７）で表される化合物との縮合染料又はその塩、並びに、前記縮合染料又はその塩の還元によって得られる染料（縮合後又は還元後の染料の対イオンは、水素イオン、アルカリ金属イオン、有機アミンのカチオン、アンモニウムイオンである）からなる群から選ばれる少なくとも１種、であることが好ましい。特には、例示化合物Ｂｋ１、例示化合物Ｂｋ２、及びＣ．Ｉ．ダイレクトオレンジ３９を組み合わせて用いることが好ましい。上記したような本発明の効果を十分に得るためには、式（４）で表される化合物又はその塩の含有量、及び式（５）で表される化合物又はその塩の含有量、の比率が２：１以上１：５以下であることが好ましい。又、式（４）で表される化合物又はその塩の含有量、及び式（６）で表される化合物と式（７）で表される化合物との縮合染料又はその塩、並びに、前記縮合染料又はその塩の還元によって得られる染料（縮合後又は還元後の染料の対イオンは、水素イオン、アルカリ金属イオン、有機アミンのカチオン、アンモニウムイオンである）からなる群から選ばれる少なくとも１種の含有量、の比率が２：１以上１：５以下であることが好ましい。
【００７６】
〔レッドインク用色材〕
レッドインクの色材には、少なくとも、Ｃ．Ｉ．フードイエロー３を含有することが好ましい。これは、この色材が、発色性に優れており、画像形成を行う場合に、色域が広く、鮮やかな画像を形成できるためである。
【００７７】
〔グリーンインク用色材〕
グリーンインクの色材には、少なくとも下記一般式（８）で表される化合物又はその塩、及び、下記一般式（９）で表される化合物又はその塩を含有することが好ましい。これは、これらの色材が、発色性に優れており、画像形成を行う場合に、色域が広く、鮮やかな画像を形成できるためである。
【００７８】
一般式（８）
【００７９】
【化１８】
2006199922.tif 000020
【００８０】
（式（８）中、Ｒ１、Ｒ２はそれぞれ独立に、置換若しくは未置換の、アルキル基、アリール基、アリールアルキル基、又は水素原子の何れかであり、Ｒ３、Ｒ５はそれぞれ独立に、カルボキシル基又はその塩、スルホン酸基又はその塩、リン酸基又はその塩、及びこれらの基で置換されたアルキル基であり、Ｒ４、Ｒ６はそれぞれ独立に、Ｒ３、Ｒ５に対して定義した以外の基であり、ｐ、ｒはそれぞれ独立に１〜５の整数であり、ｑ、ｓはそれぞれ独立に０〜４の整数であり、且つ、ｐ＋ｑ≦５、ｒ＋ｓ≦５である。）
式（９）
【００８１】
【化１９】
2006199922.tif 000021
【００８２】
（式（９）中、Ｍはアルカリ金属（例えば、Ｌｉ、Ｎａ、Ｋ、Ｒｂ、Ｃｓ、Ｆｒ等）又はアンモニウムであり、Ｒ１はＯＨ、ＣＯＯＭ、Ｒ２ＣＯＯＭ（Ｒ２は炭素数４〜９のアルキル基、Ｍはアルカリ金属又はアンモニウム）であり、ｘ、ｙ、ｚはそれぞれ独立に０〜４の整数である。）
【００８３】
式（８）で表される化合物又はその塩の好ましい具体例は、下記例示化合物Ｇｒ用Ｙ１が挙げられる。
【００８４】
例示化合物Ｇｒ用Ｙ１
【００８５】
【化２０】
2006199922.tif 000022
【００８６】
〔色材の検証方法〕
本発明において用いられる色材の検証には、高速液体クロマトグラフィー（ＨＰＬＣ）を用いた下記（１）〜（３）の検証方法が適用できる。
（１）ピークの保持時間
（２）（１）のピークにおける最大吸収波長
（３）（１）のピークにおけるマススペクトルのＭ／Ｚ（ｐｏｓｉ、ｎｅｇａ）
（水性媒体）
本発明のインクセットを構成する各インクは、水、或いは水と各種水溶性有機溶剤との混合溶媒である水性媒体を使用することができる。水溶性有機溶剤は、水溶性であれば特に制限はなく、アルコール、多価アルコール、ポリグリコール、グリコールエーテル、含窒素極性溶媒、含硫黄極性溶媒等を仕様することができる。
【００８７】
具体的には、例えば、メチルアルコール、エチルアルコール、ｎープロピルアルコール、イソプロピルアルコール、ｎ−ブチルアルコール、ｓｅｃ−ブチルアルコール、ｔｅｒｔ−ブチルアルコール等の炭素数１〜４のアルキルアルコール類；ジメチルホルムアミド、ジメチルアセトアミド等のアミド類；アセトン、ジアセトンアルコール等のケトン又はケトアルコール類；テトラヒドロフラン、ジオキサン等のエーテル類；ポリエチレングリコール、ポリプロピレングリコール等のポリアルキレングリコール類；エチレングリコール、プロピレングリコール、ブチレングリコール、トリエチレングリコール、１，２，６−ヘキサントリオ−ル、チオジグリコール、ヘキシレングリコール、ジエチレングリコール等のアルキレン基が２〜６個の炭素原子を含むアルキレングリコール類；ポリエチレングリコールモノメチルエーテルアセテート等の低級アルキルエーテルアセテート；エチレングリコールモノメチル（又はエチル）エーテル、ジエチレングリコールメチル（又はエチル）エーテル、トリエチレングリコールモノメチル（又はエチル）エーテル等の多価アルコールの低級アルキルエーテル類；トリメチロールプロパン、トリメチロールエタン等の多価アルコール；グリセリン、Ｎ−メチル−２−ピロリドン、２−ピロリドン、１，３−ジメチル−２−イミダゾリジノン等を用いることができる。上記水溶性有機溶剤は、単独で用いても、或いは混合物として用いても良い。
【００８８】
本発明においては、上記の水溶性有機溶剤の中でも特に、グリセリン、エチレングリコール、ジエチレングリコール、２−ピロリドン、尿素、エチレン尿素を用いることで、様々な環境におけるインクの連続吐出性や長期放置における固着回復性を良好なものとすることができるため、好ましい。又、上記した水溶性有機溶剤を少なくとも３種を組み合わせて用いることで、本発明の効果をより効率的に得ることができるインクとすることが可能となる。特に、上記した水溶性有機溶剤を組み合わせて用いることで、インクの粘度上昇をより効果的に抑制し、高速な記録に対応することが可能となる。又、本発明においては、インクセットを構成する各インクの粘度が、２．０ｍＰａ・ｓ〜２．７ｍＰａ・ｓである場合、高速な印字に適用するインクことができるために好ましい。
【００８９】
（その他の添加剤）
更に、本発明においては必要に応じて、インクセットを構成する各インクに、界面活性剤、ｐＨ調整剤、防錆剤、防腐剤、防黴剤、酸化防止剤、還元防止剤、蒸発促進剤、キレート化剤、及び、水溶性ポリマー等、種々の添加剤を含有させてもよい。
【００９０】
特に、クエン酸３ナトリウムやプロキセルＧＸＬ（アビシア製）等の添加剤は、長期に渡るインクの信頼性を得ることができるために好ましい。
【００９１】
（インクセット）
本発明におけるインクセットとは、インクカートリッジが複数一体になっているインクカートリッジ自体は無論のこと、単独のインクカートリッジを複数組み合わせて使用する場合も含み、更に、前記インクカートリッジ及び記録ヘッドを一体としたものも含まれる。特に本発明においては、インクセットを構成するシアンインク、マゼンタインク及びイエローインクの複数のインクが一体になっているインクカートリッジであるインクセットの形態であることが好ましい。
【００９２】
又、前記インクカートリッジを、更に、別のブラックインクを収容するインクカートリッジと組み合わせて用いる場合や、ブラックインク、フォト（淡）シアンインク及びフォト（淡）マゼンタインクをそれぞれ収容するインクカートリッジを一体にしたインクカートリッジと組み合わせて用いる場合も、本発明のインクセットの一例として挙げられる。
【００９３】
更に、本発明のインクセットにおいて、単独のインクカートリッジを複数組み合わせて用いる場合の具体例には、以下の形態のものが挙げられる。シアンインク、マゼンタインク及びイエローインクをそれぞれ収容する独立したインクカートリッジとして組み合わせて用いる場合。前記独立したインクカートリッジと、更に別のブラックインクを収容するインクカートリッジとを組み合わせて用いる場合。ブラックインク、フォト（淡）シアンインク及びフォト（淡）マゼンタインクをそれぞれ収容するインクカートリッジを組み合わせて用いる場合。レッドインクを収容する単独のインクカートリッジを追加して用いる場合。グリーンインクを収容する単独のインクカートリッジを追加して用いる場合。
【００９４】
＜記録媒体＞
本発明のインクを用いて画像を形成する際に用いる記録媒体は、インクを付与して記録を行う記録媒体であれば何れのものでも使用することができる。
【００９５】
本発明は、色材や顔料等の色材をインク受容層内の多孔質構造を形成する微粒子に吸着させて、少なくともこの吸着した微粒子から画像が形成される記録媒体に適用され、インクジェット法を利用する場合に特に好適である。このようなインクジェット用の記録媒体は支持体上のインク受容層に形成された空隙によりインクを吸収するいわゆる吸収タイプであることが好ましい。
【００９６】
吸収タイプのインク受容層は、微粒子を主体とし、必要に応じて、バインダーやその他の添加剤を含有する多孔質層として構成される。微粒子の具体例は、シリカ、クレー、タルク、炭酸カルシウム、カオリン、アルミナあるいはアルミナ水和物等の酸化アルミニウム、珪藻土、酸化チタン、ハイドロタルサイト、酸化亜鉛等の無機顔料や尿素ホルマリン樹脂、エチレン樹脂、スチレン樹脂等の有機顔料が挙げられ、これらの１種以上が使用される。バインダーとして好適に使用されているものには水溶性高分子やラテックスを挙げることができる。例えば、ポリビニルアルコール又はその変性体、澱粉又はその変性体、ゼラチン又はその変性体、アラビアゴム、カルボキシメチルセルロース、ヒドロキシエチルセルロース、ヒドロキシプロオイルメチルセルロース等のセルロース誘導体、ＳＢＲラテックス、ＮＢＲラテックス、メチルメタクリレート−ブタジエン共重合体ラテックス、官能基変性重合体ラテックス、エチレン酢酸ビニル共重合体等のビニル系共重合体ラテックス、ポリビニルピロリドン、無水マレイン酸又はその共重合体、アクリル酸エステル共重合体等が使用され、必要に応じて２種以上を組み合わせて用いることができる。その他、添加剤を使用することもでき、例えば、必要に応じて分散剤、増粘剤、ｐＨ調整剤、潤滑剤、流動性変性剤、界面活性剤、消泡剤、離型剤、蛍光増白剤、紫外線吸収剤、酸化防止剤等が使用される。
【００９７】
特に、本発明において好ましく用いられる記録媒体は、平均粒子径が１μｍ以下である微粒子を主体として、インク受容層を形成した記録媒体が好ましい。前記微粒子の具体例は、シリカ微粒子や酸化アルミニウム微粒子等が挙げられる。シリカ微粒子として好ましいものは、コロイダルシリカに代表されるシリカ微粒子である。コロイダルシリカ自体は市場より入手可能であるが、特には、例えば特許第２８０３１３４号、同２８８１８４７号公報に掲載されたものが好ましい。酸化アルミ微粒子として好ましいものは、アルミナ水和物微粒子等である。このようなアルミナ系顔料の一つとして下記式により表されるアルミナ水和物を挙げることができる。
Ａｌ２Ｏ３−ｎ（ＯＨ）２ｎ・ｍＨ２Ｏ
（上記式中、ｎは１、２又は３の整数の何れかを表し、ｍは０〜１０、好ましくは０〜５の値を表す。但し、ｍとｎは同時には０にはならない。ｍＨ２Ｏは、多くの場合ｍＨ２Ｏ結晶格子の形成に関与しない脱離可能な水相をも表すものであるため、ｍは整数又は整数でない値を取ることもできる。又この種の材料を加熱するとｍは０の値に達することがありうる。）
アルミナ水和物は、米国特許第４，２４２，２７１号、米国特許第４，２０２，８７０号に記載のアルミニウムアルコキシドの加水分解、アルミン酸ナトリウムの加水分解、又、特公昭５７−４４６０５号公報に記載のアルミン酸ナトリウム等の水溶液に硫酸ナトリウム、塩化アルミニウム等の水溶液を加えて中和を行う方法等、公知の方法で製造することができる。
【００９８】
記録媒体は上記したインク受容層を支持するための支持体を有することが好ましい。支持体は、インク受容層が、上記多孔質の微粒子で形成することが可能であって、且つインクジェットプリンタ等の搬送機構によって搬送可能な剛度を与えるものであれば、特に制限はなく、何れのものでも使用できる。具体的には、例えば、天然セルロース繊維を主体としてパルプ原料から成る紙支持体、ポリエステル（例：ポリエチレンテレフタラート）、セルローストリアセテート、ポリカーボネート、ポリ塩化ビニル、ポリプロピレン、ポリイミド等の材料からなるプラスチック支持体、基紙の少なくとも一方に白色顔料等を添加したポリオレフィン樹脂被樹脂被覆層を有する樹脂被覆紙（例：ＲＣペーパー）が挙げられる。
【００９９】
＜インクジェット記録方法＞
本発明にかかるインクは、インクをインクジェット方法で吐出する工程を有するインクジェット記録方法に用いることが特に好適である。インクジェット記録方法は、インクに力学的エネルギーを作用させてインクを吐出させる記録方法、及びインクに熱エネルギーを作用させてインクを吐出させる記録方法等がある。特に、本発明においては、熱エネルギーを利用するインクジェット記録方法を好ましく用いることができる。
【０１００】
＜インクカートリッジ＞
本発明にかかるインクを用いて記録を行うのに好適なインクカートリッジは、これらのインクを収容するインク収容部を備えたインクカートリッジが挙げられる。
【０１０１】
＜記録ユニット＞
本発明にかかるインクを用いて記録を行うのに好適な記録ユニットは、これらのインクを収容するインク収容部と、記録ヘッドとを備えた記録ユニットが挙げられる。特に、前記記録ヘッドが、記録信号に対応した熱エネルギーをインクに作用させ、前記エネルギーによりインク液滴を発生させる記録ユニットが挙げられる。
【０１０２】
＜インクジェット記録装置＞
本発明にかかるインクを用いて記録を行うのに好適な記録装置は、これらのインクが収容されるインク収容部を有する記録ヘッドの室内のインクに、記録信号に対応した熱エネルギーを与え、前記エネルギーによりインク液滴を発生させる装置が挙げられる。
【０１０３】
以下に、インクジェット記録装置の機構部の概略構成を説明する。記録装置本体は、各機構の役割から、給紙部、用紙搬送部、キャリッジ部、排紙部、クリーニング部及びこれらを保護し、意匠性を持たす外装部から構成されている。以下、これらの概略を説明していく。
【０１０４】
図１は、記録装置の斜視図である。又、図２及び図３は、記録装置本体の内部機構を説明するための図であり、図２は右上部からの斜視図、図３は記録装置本体の側断面図をそれぞれ示したものである。
【０１０５】
記録装置において給紙を行う際には、まず給紙トレイＭ２０６０を含む給紙部において記録媒体の所定枚数のみが給紙ローラＭ２０８０と分離ローラＭ２０４１から構成されるニップ部に送られる。送られた記録媒体はニップ部で分離され、最上位の記録媒体のみが搬送される。用紙搬送部に送られた記録媒体は、ピンチローラホルダＭ３０００及びペーパーガイドフラッパーＭ３０３０に案内されて、搬送ローラＭ３０６０とピンチローラＭ３０７０とのローラ対に送られる。搬送ローラＭ３０６０とピンチローラＭ３０７０とからなるローラ対は、ＬＦモータＥ０００２の駆動により回転され、この回転により記録媒体がプラテンＭ３０４０上を搬送される。
【０１０６】
キャリッジ部では記録媒体に画像を形成する場合、記録ヘッドＨ１００１（図４）を目的の画像形成位置に配置させ、電気基板Ｅ００１４からの信号に従って、記録媒体に対しインクを吐出する。記録ヘッドＨ１００１についての詳細な構成は後述するが、記録ヘッドＨ１００１により記録を行いながらキャリッジＭ４０００が列方向に走査する記録主走査と、搬送ローラＭ３０６０により記録媒体が行方向に搬送される副走査とを交互に繰り返すことにより、記録媒体上に画像を形成していく構成となっている。
【０１０７】
最後に画像を形成された記録媒体は、排紙部で第１の排紙ローラＭ３１１０と拍車Ｍ３１２０とのニップに挟まれ、搬送されて排紙トレイＭ３１６０に排出される。
【０１０８】
尚、クリーニング部において、画像記録前後の記録ヘッドＨ１００１をクリーニングする目的のために、キャップＭ５０１０を記録ヘッドＨ１００１のインク吐出口に密着させた状態で、ポンプＭ５０００を作用させると、記録ヘッドＨ１００１から不要なインク等が吸引されるようになっている。又、キャップＭ５０１０を開けた状態で、キャップＭ５０１０に残っているインクを吸引することにより、残インクによる固着及びその後の弊害が起こらないように配慮されている。
【０１０９】
（記録ヘッド構成）
ヘッドカートリッジＨ１０００の構成について説明する。ヘッドカートリッジＨ１０００は、記録ヘッドＨ１００１と、インクタンクＨ１９００を搭載する手段、及びインクタンクＨ１９００から記録ヘッドにインクを供給するための手段を有しており、キャリッジＭ４０００に対して着脱可能に搭載される。
【０１１０】
図４は、ヘッドカートリッジＨ１０００に対し、インクタンクＨ１９００を装着する様子を示した図である。記録装置は、イエロー、マゼンタ、シアン、ブラック、淡マゼンタ、淡シアン、及びグリーンインクによって画像を形成し、従ってインクタンクＨ１９００も７色分が独立に用意されている。上記において、少なくとも一種のインクに、本発明にかかるインクを用いる。そして、図に示すように、それぞれがヘッドカートリッジＨ１０００に対して着脱自在となっている。尚、インクタンクＨ１９００の着脱は、キャリッジＭ４０００にヘッドカートリッジＨ１０００が搭載された状態で行えるようになっている。
【０１１１】
図５は、ヘッドカートリッジＨ１０００の分解斜視図を示したものである。図において、ヘッドカートリッジＨ１０００は、第１の記録素子基板Ｈ１１００及び第２の記録素子基板Ｈ１１０１、第１のプレートＨ１２００、第２のプレートＨ１４００、電気配線基板Ｈ１３００、タンクホルダーＨ１５００、流路形成部材Ｈ１６００、フィルタＨ１７００、シールゴムＨ１８００などから構成されている。
【０１１２】
第１の記録素子基板Ｈ１１００及び第２の記録素子基板Ｈ１１０１はＳｉ基板であり、その片面にインクを吐出するための複数の記録素子（ノズル）がフォトリソ技術により形成されている。各記録素子に電力を供給するＡｌ等の電気配線は、成膜技術により形成されており、個々の記録素子に対応した複数のインク流路も又、フォトリソグラフィ技術により形成されている。更に、複数のインク流路にインクを供給するためのインク供給口が裏面に開口するように形成されている。
【０１１３】
図６は、第１の記録素子基板Ｈ１１００及び第２の記録素子基板Ｈ１１０１の構成を説明するための正面拡大図である。Ｈ２０００〜Ｈ２６００は、それぞれ異なるインク色に対応する記録素子の列（以下ノズル列ともいう）であり、第１の記録素子基板Ｈ１１００には、イエローインクの供給されるノズル列Ｈ２０００、マゼンタインクの供給されるノズル列Ｈ２１００、及びシアンインクの供給されるノズル列Ｈ２２００の３色分のノズル列が構成されている。第２の記録素子基板Ｈ１１０１には、淡シアンインクの供給されるノズル列Ｈ２３００、ブラックインクの供給されるノズル列Ｈ２４００、グリーンインクの供給されるノズル列Ｈ２５００、及び淡マゼンタインクの供給されるノズル列Ｈ２６００の４色分のノズル列が構成されている。
【０１１４】
各ノズル列は、記録媒体の搬送方向に１２００ｄｐｉ（ｄｏｔ／ｉｎｃｈ；参考値）の間隔で並ぶ７６８個のノズルによって構成され、約２ピコリットルのインク滴を吐出させる。各ノズル吐出口における開口面積は、およそ１００平方μｍ２に設定されている。又、第１の記録素子基板Ｈ１１００及び第２の記録素子基板Ｈ１１０１は第１のプレートＨ１２００に接着固定されており、ここには、第１の記録素子基板Ｈ１１００及び第２の記録素子基板Ｈ１１０１にインクを供給するためのインク供給口Ｈ１２０１が形成されている。
【０１１５】
更に、第１のプレートＨ１２００には、開口部を有する第２のプレートＨ１４００が接着固定されており、この第２のプレートＨ１４００は、電気配線基板Ｈ１３００と第１の記録素子基板Ｈ１１００及び第２の記録素子基板Ｈ１１０１とが電気的に接続されるように、電気配線基板Ｈ１３００を保持している。
【０１１６】
電気配線基板Ｈ１３００は、第１の記録素子基板Ｈ１１００及び第２の記録素子基板Ｈ１１０１に形成されている各ノズルからインクを吐出するための電気信号を印加するものであり、第１の記録素子基板Ｈ１１００及び第２の記録素子基板Ｈ１１０１に対応する電気配線と、この電気配線端部に位置し記録装置本体からの電気信号を受け取るための外部信号入力端子Ｈ１３０１とを有している。外部信号入力端子Ｈ１３０１は、タンクホルダーＨ１５００の背面側に位置決め固定されている。
【０１１７】
一方、インクタンクＨ１９００を保持するタンクホルダーＨ１５００には、流路形成部材Ｈ１６００が例えば超音波溶着により固定され、インクタンクＨ１９００から第１のプレートＨ１２００に通じるインク流路Ｈ１５０１を形成している。
【０１１８】
インクタンクＨ１９００と係合するインク流路Ｈ１５０１のインクタンク側端部には、フィルタＨ１７００が設けられており、外部からの塵埃の侵入を防止し得るようになっている。又、インクタンクＨ１９００との係合部にはシールゴムＨ１８００が装着され、係合部からのインクの蒸発を防止し得るようになっている。
【０１１９】
更に、前述のようにタンクホルダーＨ１５００、流路形成部材Ｈ１６００、フィルタＨ１７００及びシールゴムＨ１８００から構成されるタンクホルダー部と、第１の記録素子基板Ｈ１１００及び第２の記録素子基板Ｈ１１０１、第１のプレートＨ１２００、電気配線基板Ｈ１３００及び第２のプレートＨ１４００から構成される記録ヘッド部Ｈ１００１とを、接着等で結合することにより、ヘッドカートリッジＨ１０００が構成されている。
【０１２０】
尚、ここでは記録ヘッドの一形態として、電気信号に応じて膜沸騰をインクに対して生じさせるための熱エネルギーを生成する電気熱変換体（記録素子）を用いて記録を行うバブルジェット（登録商標）方式の記録ヘッドについて一例を挙げて述べた。
【０１２１】
この代表的な構成や原理については、例えば、米国特許第４，７２３，１２９号明細書、同第４，７４０，７９６号明細書に開示されている基本的な原理を用いて行うものが好ましい。この方式は、所謂オンデマンド型、コンティニュアス型の何れにも適用可能であるが、特に、オンデマンド型の場合には、液体（インク）が保持されているシートや液流路に対応して配置されている電気熱変換体に、記録情報に対応していて核沸騰を超える急速な温度上昇を与える少なくとも一つの駆動信号を印加することによって、電気熱変換体に熱エネルギーを発生せしめ、記録ヘッドの熱作用面に膜沸騰を生じさせて、結果的にこの駆動信号に一対一で対応した液体（インク）内の気泡を形成できるので有効である。この気泡の成長、収縮により吐出用開口を介して液体（インク）を吐出させて、少なくとも一つの滴を形成する。この駆動信号をパルス形状とすると、即時適切に気泡の成長・収縮が行われるので、特に応答性に優れた液体（インク）の吐出が達成でき、より好ましい。
【０１２２】
又、第二の力学的エネルギーを利用したインクジェット記録装置の形態として、複数のノズルを有するノズル形成基板と、ノズルに対向して配置される圧電材料と導電材料からなる圧力発生素子と、この圧力発生素子の周囲を満たすインクを備え、印加電圧により圧力発生素子を変位させ、インクの小液滴をノズルから吐出させるオンデマンドインクジェット記録ヘッドを挙げることができる。
【０１２３】
又、インクジェット記録装置は、上述のようにヘッドとインクタンクとが別体となったものに限らず、それらが分離不能に一体になったものを用いるものでもよい。又、インクタンクはヘッドに対し分離可能又は分離不能に一体化されてキャリッジに搭載されるもののほか、装置の固定部位に設けられて、インク供給部材、例えばチューブを介して記録ヘッドにインクを供給する形態のものでもよい。更に、記録ヘッドに対し好ましい負圧を作用させるための構成をインクタンクに設ける場合には、インクタンクのインク収納部に吸収体を配置した形態、あるいは可撓性のインク収容袋とこれに対しその内容積を拡張する方向の付勢力を作用するばね部とを有した形態などを採用することができる。又、記録装置は、上述のようにシリアル記録方式を採るもののほか、記録媒体の全幅に対応した範囲にわたって記録素子を整列させてなるラインプリンタの形態をとるものであってもよい。
【実施例】
【０１２４】
以下、実施例及び比較例を用いて本発明を更に詳細に説明するが、本発明は、その要旨を超えない限り、下記の実施例によって何ら限定されるものではない。尚、特に指定のない限り、実施例、比較例のインク成分は「質量部」を意味する。
【０１２５】
＜色材の合成＞
（例示化合物Ｃ１の合成）
（１）銅フタロシアニンテトラスルホン酸テトラナトリウム塩（式（１２））の合成
式（１２）
【０１２６】
【化２１】
2006199922.tif 000023
【０１２７】
スルホラン、４−スルホフタル酸モノナトリウム塩、塩化アンモニウム、尿素、モリブデン酸アンモニウム、塩化銅（ＩＩ）を混合し、攪拌した後、メタノールで洗浄を行った。その後、水を加え、水酸化ナトリウム水溶液を用いて、溶液のｐＨを１１に調整した。得られた溶液に攪拌下で塩酸水溶液を加え、更に塩化ナトリウムを徐々に加え、結晶を析出させた。得られた結晶を濾別したものを、２０％塩化ナトリウム水溶液で洗浄し、続いてメタノールを加え、析出した結晶を濾別し、７０％メタノール水溶液で洗浄した後に乾燥させ、式（１２）の銅フタロシアニンテトラスルホン酸テトラナトリウム塩を青色結晶として得た。
【０１２８】
（２）銅フタロシアニンテトラスルホン酸クロライド（式（１３））の合成
式（１３）
【０１２９】
【化２２】
2006199922.tif 000024
【０１３０】
クロロスルホン酸中に、上記で得られた銅フタロシアニンテトラスルホン酸テトラナトリウム塩（式（１２））を徐々に加え、更に、塩化チオニルを滴下し、反応を行った。その後、反応液を冷却し、析出した結晶を濾過し、銅フタロシアニンテトラスルホン酸クロライドのウェットケーキを得た。
【０１３１】
（３）下記式（１４）で表される化合物の合成
式（１４）で表される化合物は、式（１０）において、Ｙがアミノ基、Ｒ１、Ｒ２が２、５位に置換したスルホン酸基である化合物である。
【０１３２】
式（１４）
【０１３３】
【化２３】
2006199922.tif 000025
【０１３４】
氷水中に、リパールＯＨ、塩化シアヌル、アニリン−２，５−ジスルホン酸モノナトリウム塩を加え、水酸化ナトリウム水溶液を添加しながら反応を行った。次に、反応液に、水酸化ナトリウム水溶液を添加して、反応液のｐＨを１０に調整した。この反応液に、２８％アンモニア水、エチレンジアミンを加え、反応を行った。得られた反応液に、塩化ナトリウム、濃塩酸を滴下して、結晶を析出させた。析出した結晶を濾過分取し、２０％塩化ナトリウム水溶液で洗浄し、ウェットケーキを得た。得られたウェットケーキに、メタノール及び水を加え、更に濾過し、メタノールで洗浄を行った後、乾燥させて、式（１４）で表される化合物を得た。
【０１３５】
（４）例示化合物Ｃ１の合成
氷水中に、（２）で得られた銅フタロシアニンテトラスルホン酸クロライド（式（１３））のウェットケーキを加え、攪拌を行って懸濁させ、更に、アンモニア水、（３）で得られた式（１４）で表される化合物を添加して、反応を行った。これに、水、塩化ナトリウムを加えて、結晶を析出させた。得られた結晶を濾過し、塩化ナトリウム水溶液で洗浄し、再度濾過を行った後、洗浄、乾燥させて、青色結晶として例示化合物Ｃ１を得た。上記反応から、この化合物は例示化合物Ｃ１で表される化合物であり、式（１）における置換基数の平均がｌ＝０、ｍ＝１．０〜２．０、ｎ＝２．０〜３．０の範囲で示される色材であると推定される。
【０１３６】
（例示化合物Ｍ１の合成）
キシレン中で、下記式（１３）で表される化合物、炭酸ナトリウム、ベンゾイル酢酸エチルエステルとを反応させ、反応物を濾過、洗浄した。これを、Ｎ，Ｎ−ジメチルホルムアミド中で、メタアミノアセトアニリド、酢酸銅、炭酸ナトリウムを順次添加して反応を行い、反応物を濾過、洗浄した。更にこれを、発煙硫酸中でスルホン化を行った後、濾過、洗浄し、これを、水酸化ナトリウムの存在下で、シアヌルクロライドと縮合反応を行った。この反応液中に、アンスラニル酸を添加し、水酸化ナトリウムの存在下で縮合反応を行った。これを濾過、洗浄を行うことにより、例示化合物Ｍ１を得た。
【０１３７】
式（１３）
【０１３８】
【化２４】
2006199922.tif 000026
【０１３９】
（例示化合物Ｙ１の合成）
ジアゾ化した４−ニトロ−４’−アミノスチルベン−２，２−ジスルホン酸と３−アミノナフタレン−１−スルホン酸とをカップリングさせ、これをトリアゾール化し、ニトロ基をアミノ基に還元する公知の方法で製造したアミノスチルベン−トリアゾールを水に溶解し、亜硝酸ナトリウム、塩酸を滴下し、ジアゾ化を行った。これを、下記式（１４）で表される化合物の水溶液に滴下して、カップリングした後、塩化ナトリウムで塩析した。この化合物を、亜硝酸ナトリウム水溶液でジアゾ化を行い、この混濁液に、６−アミノナフタレン−２−スルホン酸水溶液を添加し、これをトリアゾール化したものを塩化ナトリウムで塩析することにより、例示化合物Ｙ１を得た。
【０１４０】
式（１４）
【０１４１】
【化２５】
2006199922.tif 000027
【０１４２】
（例示化合物Ｂｋ１の合成）
下記式（１５）で表される化合物を、水酸化ナトリウムを添加した水に加えて溶解し、更に亜硝酸ナトリウム水溶液を添加し、ジアゾ化を行った。このジアゾ混濁液を、６−アミノ−１−ヒドロキシナフタレン−３、５−ジスルホン酸のアルカリ水溶液に滴下してカップリング反応を行い、塩化ナトリウムで塩析した後、濾過、洗浄を行った。次いで、前記化合物を、水酸化ナトリウムを添加した水に加えて溶解し、塩酸、亜硝酸ナトリウムを添加してジアゾ化を行った。このジアゾ混濁液に、８−アミノ−１−ヒドロキシナフタレン−３，６−ジスルホン酸を添加し、炭酸ナトリウムを添加して、終夜攪拌し反応液Ａを得た。次に、１−アミノ−２−ベンゼンスルホン酸を、水酸化ナトリウムを添加した水に加えて溶解し、更に亜硝酸ナトリウム水溶液を添加し、ジアゾ化を行った。このジアゾ混濁液を、６−アミノ−１−ヒドロキシナフタレン−３−スルホン酸のアルカリ水溶液に滴下してカップリング反応を行い、塩化ナトリウムで塩析した後、濾過、洗浄を行った。次いで、前記化合物を、水酸化ナトリウムを添加した水に加えて溶解し、塩酸、亜硝酸ナトリウムを添加してジアゾ化を行った。このジアゾ混濁液を上記反応液に添加してカップリング反応を行い、塩化ナトリウムで塩析した後、濾過、洗浄を行うことにより、例示化合物Ｂｋ１を得た。
【０１４３】
式（１５）
【０１４４】
【化２６】
2006199922.tif 000028
【０１４５】
（例示化合物Ｂｋ２の合成）
下記式（１６）で表される化合物を、炭酸ナトリウムを添加した水に加えて溶解し、更に塩酸、亜硝酸ナトリウムを添加し、ジアゾ化を行った。このジアゾ混濁液に、６−フェニルアミノ−１−ヒドロキシナフタレン−３−スルホン酸水溶液を添加し、炭酸ナトリウムの存在下で溶解し、溶液を得た。次に、２−アミノスルホン酸を、水酸化ナトリウムの存在下で溶解し、塩酸、亜硝酸ナトリウムを添加して、ジアゾ化を行った。次に、６−アミノ−１−ヒドロキシナフタレン−３−スルホン酸を、水酸化ナトリウムの存在下で溶解し、無水酢酸を添加し、アセチル化を行った。ここに上記ジアゾ混濁液を炭酸ナトリウムの存在下で滴下して、カップリング反応を行い、反応液を得た。この反応液に、水酸化ナトリウム、次いで塩化ナトリウムを添加して塩析を行い、化合物を得た。この化合物を水酸化ナトリウムの存在下で、水に溶解させ、塩酸、亜硝酸ナトリウムを添加し、ジアゾ化を行った。このジアゾ混濁液に、炭酸ナトリウムの存在下で、溶液を滴下し、カップリング反応を完結させ、反応液を得た。この反応液を塩化ナトリウムで塩析した後、濾過を行うことにより、式（１６）で表される化合物を得た。Ｎ，Ｎ−ジメチルホルムアミドに、２−ニトロ−４−クレゾール、トルエン、水酸化カリウムを添加し、トルエンとの共沸により水を留去し、プロパンスルトンを滴下した後、水酸化ナトリウムを添加し、これを濃縮後、オートクレーブにて、パラジウムカーボンを添加し、水素ガスを封入し溶液を得た。これを、塩酸、亜硝酸ナトリウムを添加することでジアゾ化を行い、上記反応液を滴下し、水酸化ナトリウムの存在下でカップリング反応を完結させ、反応液を得た。この反応液を、塩酸、亜硝酸ナトリウム添加によりジアゾ化を行い、このジアゾ混濁液を式（１６）で表される化合物を溶解した水溶液に添加し、カップリング反応を完結させた。これを塩化ナトリウムにより塩析した後、濾過、洗浄を行うことにより、例示化合物Ｂｋ２を得た。
【０１４６】
式（１６）
【０１４７】
【化２７】
2006199922.tif 000029
【０１４８】
（ブラック顔料の合成）
５．５ｇの水に５ｇの濃塩酸を溶かした溶液に、５℃に冷却した状態でｐ−アミノ安息香酸４．６５ｇを加えた。次に、この溶液が入った容器をアイスバスに入れて液を撹拌することにより溶液を常に１０℃以下に保った状態とし、これに、５℃の水９ｇに亜硝酸ナトリウム１．８ｇを溶かした溶液を加えた。この溶液を更に１５分撹拌後、比表面積が２２０ｍ２／ｇでＤＢＰ吸油量が１０５ｍｌ／１００ｇであるカーボンブラック２０ｇを撹拌下で加えた。その後、更に１５分撹拌した。得られたスラリーをろ紙（商品名：標準用濾紙Ｎｏ．２；アドバンテック製）でろ過した後、粒子を十分に水洗し、１１０℃のオーブンで乾燥させ、自己分散型カーボンブラックを調製した。更に、上記で得られた自己分散型カーボンブラックに水を加えて顔料濃度が１０質量％となるように分散させ、分散液を調製した。上記の方法により、カーボンブラック粒子表面に−Ｃ６Ｈ４−ＣＯＯＮａ基が導入されてなる自己分散型カーボンブラックが水中に分散された状態の顔料分散液を得た。
【０１４９】
＜インクの調製＞
下記表２〜表９に示した各成分を混合し、十分撹拌した後、ポアサイズ０．２μｍ（顔料ブラックインクの場合はポアサイズ３．０μｍ）のメンブレンフィルターにて加圧濾過を行い、インクを調製した。得られたインクを下記表１０に示す組み合わせで用いて、実施例のインクセットとした。尚、下記表２〜表９において用いている、アセチレノールＥ１００は川研ファインケミカル製のアセチレングリコールエチレンオキサイド付加物（界面活性剤）であり、プロキセルＧＸＬはアビシア製の防カビ剤である。
【０１５０】
【表２】
2006199922.tif 000030
【０１５１】
【表３】
2006199922.tif 000031
【０１５２】
【表４】
2006199922.tif 000032
【０１５３】
【表５】
2006199922.tif 000033
【０１５４】
【表６】
2006199922.tif 000034
【０１５５】
【表７】
2006199922.tif 000035
【０１５６】
【表８】
2006199922.tif 000036
【０１５７】
【表９】
2006199922.tif 000037
【０１５８】
【表１０】
2006199922.tif 000038
【０１５９】
＜評価＞
上記で得られたインクセットを用い、インクジェット記録装置として、発熱素子をインク吐出のエネルギー源とするオンデマンド式インクジェットプリンタ（商品名：ＰＩＸＵＳ５６０ｉ、ＰＩＸＵＳ８０ｉ、ＰＩＸＵＳ８６０ｉ、ＰＩＸＵＳ９６０ｉ、ＰＩＸＵＳ９９０ｉ、ＰＩＸＵＳ９９００ｉ；全てキヤノン製）を用いて印字を行った。各プリンタに用いられるインクセットにおけるインクの組み合わせ、及びインクカートリッジの構成を下記表１１に示す。得られたサンプルに対して、下記（１）〜（５）の評価を行った。評価方法及び評価基準は以下の通りである。評価結果を表１２に示す。
【０１６０】
【表１１】
2006199922.tif 000039
【０１６１】
（１）耐環境ガス性
インクジェットプリンタのインクカートリッジに各インクを充填し、評価サンプルを印字した。具体的には、イエローインク、マゼンタインク、シアンインクの、それぞれのインク単色の初期反射濃度が１．０のサンプル、及び、イエローインク、マゼンタインク、シアンインクの３色で形成されるコンポジットブラックの初期反射濃度１．０のサンプルを印字した。尚、記録媒体は、インクジェット用光沢メディア（商品名：ＰＲ１０１；キヤノン製）を用いた。
【０１６２】
得られたサンプルを、ガス腐食試験機ＧＨ−１８０（山崎精機製）中に置き、温度２４℃、湿度６０％、オゾン濃度：１．２ｐｐｍ、ＮＯｘ濃度：１．２５ｐｐｍ、ＳＯ２濃度：０．３ｐｐｍ、ガス流量：それぞれ２リットル／ｍｉｎ、の条件で４３２時間暴露を行った。
【０１６３】
（Ｉ）各単色の濃度残存率
暴露後の各単色の濃度残存率を以下のようにして求めた。反射濃度の測定には、Ｓｐｅｃｔｏｒｉｎｏ（Ｇｒｅｔａｇ  Ｍａｃｂｅｔｈ製）を用いた。反射濃度から、濃度残存率を下式により算出し、得られた各単色の濃度残存率の評価を行った。各単色の濃度残存率の評価基準は以下の通りである。
【０１６４】
【数１】
2006199922.tif 000040
【０１６５】
〔評価基準〕
Ａ：濃度残存率が７０％以上である。
Ｂ：濃度残存率が６５％以上、７０％未満である。
Ｃ：濃度残存率が６５％未満である。
【０１６６】
（ＩＩ）褪色カラーバランス
暴露後の褪色カラーバランスを、下式で示すコンポジットブラックの△ＯＤ値で評価を行った。△ＯＤ値とは、コンポジットブラックのイエロー成分、シアン成分、マゼンタ成分の各色成分におけるそれぞれの濃度残存率の最大値と最小値との差である。△ＯＤ値が大きくなると、イエロー成分、シアン成分、マゼンタ成分の一方に色相が大きくずれることとなり、褪色カラーバランスは悪くなる。△ＯＤ値を下式により算出し、得られた△ＯＤ値から、褪色カラーバランスの評価を行った。褪色カラーバランスの評価基準は以下の通りである。
【０１６７】
【数２】
2006199922.tif 000041
【０１６８】
〔評価基準〕
Ａ：△ＯＤが１０未満である。
Ｂ：△ＯＤが１０以上、１５未満である。
Ｃ：△ＯＤが１５以上である。
【０１６９】
（２）固着回復性
記録ヘッドに所定のインクを充填した後、記録ヘッド部を取り外し、吐出口を環境雰囲気下に曝し、温度３５℃、湿度１０％の環境で２週間放置を行った。その後、再度記録ヘッドをプリンタ本体に装着し、固着回復性の評価を行った。固着回復性の評価基準は以下の通りである。
〔評価基準〕
Ａ：記録ヘッド装着後、吸引２回以内で全ノズルが問題なく吐出可能に回復する。
Ｂ：記録ヘッド装着後、吸引３回以上、４回以内で全ノズルが問題なく吐出可能に回復する。
Ｃ：記録ヘッド装着後、吸引を５回以上行っても吐出できないノズルが一部存在する。
【０１７０】
（３）連続吐出性
インクジェットプリンタのインクカートリッジに各インクを充填し、インクジェット用光沢メディア（商品名：ＰＲ１０１；キヤノン製）に、温度２３℃、湿度５５％の条件で、Ａ４サイズのベタ画像を連続して３枚印字し、連続吐出性の評価を行った。連続吐出性の評価基準は以下の通りである。
〔評価基準〕
Ａ：全ての画像に問題がない。
Ｂ：僅かな部分に印字濃度のムラが生じているところがあるが、許容できる。
Ｃ：印字にかすれが生じている部分があり許容できない。
【０１７１】
（４）画像濃度
インクジェットプリンタのインクカートリッジに各インクを充填し、インクジェット用光沢メディア（商品名：ＰＲ１０１；キヤノン製）に、１００％ｄｕｔｙの印字を行った。得られたサンプルを２４時間乾燥させた後、画像濃度の測定を行った。画像濃度の測定には分光光度計（Ｓｐｅｃｔｏｒｏｌｉｎｏ；Ｇｒｅｔａｇ  Ｍａｃｂｅｔｈ製）を用いた。画像濃度の評価基準は以下の通りである。
〔評価基準〕
Ａ：画像濃度が２．２以上である。
Ｂ：画像濃度が２．１以上、２．２未満である。
Ｃ：画像濃度が２．１未満である。
【０１７２】
（５）境界にじみ（黒−カラー間のブリーディング）
インクジェットプリンタのインクカートリッジに各インクを充填し、普通紙（商品名：ＰＢペーパー；キヤノン製）に、黒とカラーの画像が隣接するサンプルを印字し、黒−カラー間のブリーディングの程度を観察し、境界にじみの評価を行った。境界にじみの評価基準は以下の通りである。
〔評価基準〕
Ａ：ブリーディングがほとんどなく良好な画像である。
Ｂ：画像をルーペで拡大すると、ブリーディングの程度はＡよりは見劣りするが、実際の使用上問題ない。
Ｃ：目視でブリーディングが認められ、問題がある。
【０１７３】
【表１２】
2006199922.tif 000042
【０１７４】
以上のように、本発明のインクジェット用インクセットを用いることで、インクジェット用インクとして要求される耐環境ガス性、画像濃度、及び固着回復性が共に優れ、且つ、得られるカラー画像の耐候性に優れたインクジェット用インクセットを提供することが可能となることがわかる。
【０１７５】
特に本発明は、シアンインクが、色材として例示化合物Ｃ１を３．５質量％〜６質量％、特には４．５質量％〜６．０質量％、水溶性有機溶剤としてグリセリン、エチレングリコール、２−ピロリドン、尿素をそれぞれ３質量％〜１２質量％含有し、インクの粘度が２．０ｍＰａ・ｓ〜２．７ｍＰａ・ｓである場合、良好な性能を発揮する。
【０１７６】
マゼンタインクが、色材として例示化合物Ｍ１を３．５質量％〜６質量％、特には４．５質量％〜６．０質量％、水溶性有機溶剤としてグリセリン、エチレングリコール、２−ピロリドン、尿素をそれぞれ３質量％〜１２質量％含有し、インクの粘度が２．０ｍＰａ・ｓ〜２．７ｍＰａ・ｓである場合、良好な性能を発揮する。
【０１７７】
イエローインクが、色材として例示化合物Ｙ１を０．２質量％〜１質量％、Ｃ．Ｉ．ダイレクトイエロー１３２を２．０質量％〜３．０質量％、水溶性有機溶剤としてグリセリン、ジエチレングリコール、２−ピロリドン、尿素又はエチレン尿素をそれぞれ３質量％〜１２質量％含有し、インクの粘度が２．０ｍＰａ・ｓ〜２．７ｍＰａ・ｓである場合、良好な性能を発揮する。
【０１７８】
ブラックインクが色材として例示化合物Ｂｋ１を１．０質量％〜２．０質量％、例示化合物Ｂｋ２を２．０質量％〜３．０質量％、Ｃ．Ｉ．ダイレクトオレンジ３９を１．０質量％〜２．０質量％、水溶性有機溶剤としてグリセリン、エチレングリコール、エチレン尿素をそれぞれ３質量％〜１２質量％含有し、インクの粘度が２．０ｍＰａ・ｓ〜２．７ｍＰａ・ｓである場合、良好な性能を発揮する。
【０１７９】
フォトシアンインクが、色材として例示化合物Ｃ１を０．５質量％〜２．０質量％、水溶性有機溶剤としてグリセリン、エチレングリコール、２−ピロリドンをそれぞれ３質量％〜１５質量％含有し、インクの粘度が２．０ｍＰａ・ｓ〜２．７ｍＰａ・ｓである場合、良好な性能を発揮する。
【０１８０】
フォトマゼンタインクが、色材として例示化合物Ｍ１を０．５質量％〜２．０質量％、水溶性有機溶剤としてグリセリン、エチレングリコール、２−ピロリドン、１，５−ペンタンジオールをそれぞれ３質量％〜１２質量％含有し、インクの粘度が２．０ｍＰａ・ｓ〜２．７ｍＰａ・ｓである場合、良好な性能を発揮する。
【０１８１】
レッドインクが、色材としてＣ．Ｉ．フードイエロー３を３．５質量％〜５．０質量％、水溶性有機溶剤としてグリセリン、エチレングリコール、２−ピロリドン、尿素をそれぞれ３質量％〜１２質量％含有し、インクの粘度が２．０ｍＰａ・ｓ〜２．７ｍＰａ・ｓである場合、良好な性能を発揮する。
【０１８２】
グリーンインクが、色材として例示化合物Ｙ２を２．０質量％〜３．０質量％、Ｃ．Ｉ．ダイレクトブルー１９９を０．５質量％〜１．５質量％、水溶性有機溶剤としてグリセリン、１，５−ペンタンジオール、エチレン尿素をそれぞれ３質量％〜１２質量％含有し、インクの粘度が２．０ｍＰａ・ｓ〜２．７ｍＰａ・ｓである場合、良好な性能を発揮する。
【図面の簡単な説明】
【０１８３】
【図１】記録装置の斜視図である。
【図２】記録装置の機構部の斜視図である。
【図３】記録装置の断面図である。
【図４】ヘッドカートリッジにインクカートリッジを装着する状態を示した斜視図である。
【図５】ヘッドカートリッジの分解斜視図である。
【図６】ヘッドカートリッジにおける記録素子基板を示す正面図である。
【符号の説明】
【０１８４】
Ｍ２０４１  分離ローラ
Ｍ２０６０  給紙トレイ
Ｍ２０８０  給紙ローラ
Ｍ３０００  ピンチローラホルダ
Ｍ３０３０  ペーパーガイドフラッパー
Ｍ３０４０  プラテン
Ｍ３０６０  搬送ローラ
Ｍ３０７０  ピンチローラ
Ｍ３１１０  排紙ローラ
Ｍ３１２０  拍車
Ｍ３１６０  排紙トレイ
Ｍ４０００  キャリッジ
Ｍ５０００  ポンプ
Ｍ５０１０  キャップ
Ｅ０００２  ＬＦモータ
Ｅ００１４  電気基板
Ｈ１０００  ヘッドカートリッジ
Ｈ１００１  記録ヘッド
Ｈ１１００  第１の記録素子基板
Ｈ１１０１  第２の記録素子基板
Ｈ１２００  第１のプレート
Ｈ１２０１  インク供給口
Ｈ１３００  電気配線基板
Ｈ１３０１  外部信号入力端子
Ｈ１４００  第２のプレート
Ｈ１５００  タンクホルダー
Ｈ１５０１  インク流路
Ｈ１６００  流路形成部材
Ｈ１７００  フィルタ
Ｈ１８００  シールゴム
Ｈ１９００  インクカートリッジ
Ｈ２０００  イエローノズル列
Ｈ２１００  マゼンタノズル列
Ｈ２２００  シアンノズル列
Ｈ２３００  淡シアンノズル列
Ｈ２４００  ブラックノズル列
Ｈ２５００  グリーンノズル列
Ｈ２６００  淡マゼンタノズル列
【図１】
2006199922.tif 000052
【図２】
2006199922.tif 000053
【図３】
2006199922.tif 000054
【図４】
2006199922.tif 000055
【図５】
2006199922.tif 000056
【図６】
2006199922.tif 000057